(57)【要約】【課題】床板材の開口部に吊りボルトを容易に懸吊することが可能で、しかも、幅狭の支持金具でも支持強度に優れた床板材用吊り金具を提供する。【解決手段】床板材の上面に係止せしめる帯板状の係止金具１０を設ける。係止金具１０のサイズを開口部の下から挿通で着るサイズに形成する。係止金具１０に、吊りボルトＱの上端が突き当たる当接部１２を設ける。係止金具１０に、係止片１３と一対の屈曲片１４とを設ける。床板材の下面に配置する補助金具２０を設ける。補助金具２０に、屈曲片１４の外側に重合する重合片２２を設ける。屈曲片１４の拡開変形を重合片２２で抑止するように構成する。【選択図】  図１
2014114624.tif 000002
【特許請求の範囲】
【請求項１】
床板面に長孔状の開口部が連続形成された床板材に吊りボルトを懸吊する床板材用吊り金具において、吊りボルトの上端をネジ止めするネジ孔が長手中央部に形成され、開口部の下から挿通して床板材の桟上面に係止せしめる帯板状の係止金具と、該係止金具にネジ止めする吊りボルトを貫通せしめる貫通孔が形成され、床板材の桟下面に配置する補助金具とを備え、
係止金具は、前記ネジ孔の両側から上方に屈曲されネジ孔にネジ止めした吊りボルトの上端が突き当たるように構成した当接部と、該当接部から水平に延長され床板材の桟の上面に係止する係止片と、該係止片の両端から下方に向けて形成された屈曲片とが設けられ、
各屈曲片の外側に重合する一対の重合片を補助金具に形成し、係止金具に懸吊物を支持したときに屈曲片の拡開変形を重合片で抑止するように構成したことを特徴とする床板材用吊り金具。
【請求項２】
前記係止金具において、前記当接部は前記桟の間に配置される側面逆すり鉢形状に形成され、前記屈曲片は前記桟の側面に係止するように構成された請求項１記載の床板材用吊り金具。
【請求項３】
前記補助金具は帯板状を成し、該帯板の長手中央部に前記貫通孔を開穿し、該帯板の長手両端部に前記重合片を形成し、前記吊りボルトにネジ止めした係止ナットで前記桟の下面に配置される請求項１記載の床板材用吊り金具。
【発明の詳細な説明】
【技術分野】
【０００１】
本発明は、鋼製の床板材に吊りボルトを吊り下げる際に使用する床板材用吊り金具に係り、特に、床板面に長孔状の開口部が連続形成された床板材に装着可能な床板材用吊り金具に関するものである。
【背景技術】
【０００２】
鋼製の床板材として、板面にスロットと称する長孔形状の開口部が連続形成された鋼製の床板材が使用されている（例えば、株式会社ニッケンビルド社製：日鐵ファインフロア等）。この種の床板材は軽量で施工性が良く、採光、通気性に優れているため、近年、ビル屋上のメンテナンスデッキや工場の安全通路、作業床、歩廊など、様々な用途に利用されている。この床板材に配管等の設備を懸吊支持するには、この床板材を支持する鋼材に吊り金具を取り付け、この吊り金具に配管等を懸吊していた。
【０００３】
また、この床板材に吊りボルトを直接支持固定する場合、角ワッシャーと袋ナットが使用されることもある。この場合、吊りボルトの端部に角ワッシャーと袋ナットとを装着し、床板材の桟上面に角ワッシャーを架け渡し、スロットから下に吊りボルトを吊下げることになる。
【０００４】
一方、原子力発電所等で使用されている特殊な吊りサポートが特許文献１に記載されている。この吊りサポートは、格子状のグレーチング床に、放射能を遮蔽する遮蔽用マットを吊下げる際に使用する吊りサポートである。この吊りサポートには、矩形状の板から成る上側止め金具の下面に支持ボルトの端部を溶接した吊り金具が使用されている。そして、グレーチング床の上面に上側止め金具を係止し、グレーチング床の開口部から下に支持ボルトを通して遮蔽用マットを吊り下げるものである。
【先行技術文献】
【特許文献】
【０００５】
【特許文献１】特開２００１‐３３５９２号公報
【発明の概要】
【発明が解決しようとする課題】
【０００６】
床板材を支持する鋼材に、吊り金具を取り付ける従来の手段では、鋼材の支持ピッチと冷媒管や電線管の支持ピッチが適合しない場合がある。このような場合には、鋼材と鋼材との間にアングル材を介して吊り金具を装着するなどの作業が必要になっており、多くの部材や手間を要する課題があった。
【０００７】
また、鋼製の床板材に吊りボルトを直接支持固定する場合では、床板材の上面から吊りボルトや袋ナットが突出して歩行時につまずく危険があるので、袋ナットや角ワッシャーに着色するなどの安全対策が必要になっていた。
【０００８】
更に、角ワッシャーを床板材の桟に架け渡して使用する場合、床下からの装着作業が面倒な作業になっていた。すなわち、桟に架け渡すサイズの角ワッシャーを使用する場合、吊りボルトの端部に、予め角ワッシャーや袋ナットを装着してスロットの下から上に通すことはできない。そのため、床下から角ワッシャーを装着するには、床板材の隙間から床上に角ワッシャーと袋ナットとを指で持ち上げながら、床板材の下から差し込む吊りボルトをネジ止めするといった不安定な作業を行う必要があった。このような作業では、床板材上に配置する角ワッシャーや袋ナットを落としてしまう虞もあり作業の安全性にも課題を残していた。
【０００９】
一方、特許文献１に記載されている吊り金具は、原子力発電所等で使用される特殊な吊りサポートであるため、上側止め金具の下面に支持ボルトの上端部を溶接するといった特殊な構成になっている。ところが、吊りボルトに吊り金具等を溶接するといった加工は、一般の建築工事において、コスト性、作業性、運搬性などから多くの不都合が生じることは否めない。一般の建築工事では、部材の汎用性や自由な組合せが求められることから、吊りボルトにおいても他の部材と自由に連結可能な通常の吊りボルトの使用が望まれている。すなわち、必要に応じて吊り金具に連結可能な吊りボルトである。
【００１０】
また、前述の角ワッシャーや特許文献１に記載の上側止め金具のように、床の上面に広く係止する係止板を使用した場合は、係止板の面積に比例した強力な支持強度が確保できる。ところが、係止板の面積が床板材の開口部の面積より広いと、吊りボルトを連結した状態の係止板を、床板の下から床板材の開口部を通して床板上に係止するような作業は不可能になる。
【００１１】
一般的な建築工事では、床下から床板材の上面に吊り金具を装着する場合、床板材の開口部を通して床板材上に係止する作業によって装着作業の効率を高めることができる。ところが、床板材の開口部を通過できるように係止板の幅を狭くすると、床板材の面積が小さくなり支持強度が低下することになる。この結果、幅狭の係止板では懸吊物の荷重で係止板が反り返り床板材から落下する虞がある。
【００１２】
そこで本発明は上述の課題を解消すべく創出されたもので、床板材の開口部に吊りボルトを容易に懸吊することが可能で、しかも、幅狭の支持金具でも支持強度に優れた床板材用吊り金具の提供を目的とするものである。
【課題を解決するための手段】
【００１３】
上述の目的を達成すべく本発明における第１の手段は、床板面に長孔状の開口部が連続形成された床板材Ｐに吊りボルトＱを懸吊する床板材用吊り金具において、
吊りボルトＱの上端をネジ止めするネジ孔１１が長手中央部に形成され、開口部の下から挿通して床板材Ｐの桟Ｐ１上面に係止せしめる帯板状の係止金具１０と、該係止金具１０にネジ止めする吊りボルトＱを貫通せしめる貫通孔２１が形成され、床板材Ｐの桟Ｐ１下面に配置する補助金具２０とを備え、
係止金具１０は、前記ネジ孔１１の両側から上方に屈曲されネジ孔１１にネジ止めした吊りボルトＱの上端が突き当たるように構成した当接部１２と、該当接部１２から水平に延長され床板材Ｐの桟Ｐ１の上面に係止する係止片１３と、該係止片１３の両端から下方に向けて形成された屈曲片１４とが設けられ、
各屈曲片１４の外側に重合する一対の重合片２２を補助金具２０に形成し、
係止金具１０に懸吊物を支持したときに屈曲片１４の拡開変形を重合片２２で抑止するように構成したことにある。
【００１４】
第２の手段は、前記係止金具１０において、前記当接部１２は前記桟Ｐ１桟の間に配置される側面逆すり鉢形状に形成され、前記屈曲片１４は前記桟Ｐ１の側面に係止するように構成している。
【００１５】
第３の手段において、前記補助金具２０は帯板状を成し、該帯板の長手中央部に前記貫通孔２１を開穿し、該帯板の長手両端部に前記重合片２２を形成し、前記吊りボルトＱにネジ止めした係止ナットＱ１で前記桟Ｐ１の下面に配置されたものである。
【発明の効果】
【００１６】
本発明の請求項１のごとく、各屈曲片１４の外側に重合する一対の重合片２２を補助金具２０に形成し、係止金具１０に懸吊物を支持したときに屈曲片１４の拡開変形を重合片２２で抑止するように構成したことで、幅狭の係止金具１０でも支持強度を高めることができた。
【００１７】
しかも、係止金具１０に、ネジ孔１１の両側から上方に屈曲されネジ孔１１にネジ止めした吊りボルトＱの上端が突き当たるように構成した当接部１２と、該当接部１２から水平に延長され床板材Ｐの桟Ｐ１の上面に係止する係止片１３とを形成しているので、角ワッシャーと袋ナットに吊りボルトをネジ止めした従来の吊り金具のように、床板材Ｐの上面に吊りボルトＱが突出しないので、安全な使用ができるものである。また、係止金具１０は、必要に応じて吊りボルトＱを着脱自在に連結できるので、コスト性、作業性、運搬性などにも優れている。
【００１８】
更に、係止金具１０に吊りボルトＱを連結した状態で床板材Ｐの開口部を通すことができるので、特に床板材Ｐの下から装着作業を行う際に、安全、且つ、容易に作業することができる。
【００１９】
請求項２のように、係止金具１０において、当接部１２は桟Ｐ１の間に配置される側面逆すり鉢形状に形成され、前記屈曲片１４は前記桟Ｐ１の側面に係止するように構成したことで、係止金具１０と桟Ｐ１とを一体化することができ、より安全な使用ができる。しかも、側面逆すり鉢形状の当接部１２を屈曲形成し、この当接部１２を介して係止片１３が形成されているので、一枚板状の係止金具１０に比べて係止金具１０の支持強度を高めることができ、懸吊物の荷重に対する係止片１３のたわみや変形を更に軽減することができる。
【００２０】
請求項３のごとく、補助金具２０は帯板状を成し、該帯板の長手中央部に貫通孔２１を開穿し、該帯板の長手両端部に重合片２２を形成し、吊りボルトＱにネジ止めした係止ナットＱ１で桟Ｐ１の下面に配置されるように構成すると、コンパクトな補助金具２０を形成することができる。この結果、係止金具１０と補助金具２０とを組み合せて収納し、運搬する際などに好適である。
【図面の簡単な説明】
【００２１】
【図１】本発明吊り金具の一実施例を示す斜視図である。
【図２】本発明吊り金具の使用状態を示す側面図である。
【図３】本発明の係止金具と床板材の開口部との関係を示す平面図である。
【図４】本発明吊り金具の他の使用状態を示す側面図である。
【発明を実施するための形態】
【００２２】
本発明によると、床板材の開口部に吊りボルトを容易に懸吊することが可能で、しかも、幅狭の支持金具でも支持強度に優れるなどといった当初の目的を達成した。
【００２３】
本発明吊り金具は、例えば、板面にスロットと称する長孔形状の開口部が連続形成された鋼製の床板材Ｐに、吊りボルトＱを懸吊する吊り金具である（図２参照）。本発明の主な構成は、係止金具１０と補助金具２０とからなり、係止金具１０に吊りボルトＱを着脱自在に連結する構造である（図１参照）。
【００２４】
係止金具１０は、床板材Ｐの上面に係止せしめる帯板状の部材で、吊りボルトＱの上端をネジ止めするネジ孔１１が長手中央ぶに形成されている（図１参照）。この係止金具１０には、更に、当接部１２、係止片１３、屈曲片１４が形成されている。
【００２５】
当接部１２は、ネジ孔１１の両側から上方に屈曲した部位で、ネジ孔１１にネジ止めした吊りボルトＱの上端が突き当たるように構成している（図２参照）。図示例の当接部１２は、側面逆すり鉢形状を成し、頂部に吊りボルトＱが突き当たるように形成している。更に、当接部１２は桟Ｐ１と桟Ｐ１との間に配置されるもので、この桟Ｐ１間で回転自在になり、しかも、桟Ｐ１の上面から突出しないように構成している。
【００２６】
係止片１３は、床板材Ｐの桟Ｐ１の上面に係止する部位で、当接部１２の頂部から水平に延長されている（図２参照）。そして、この係止片１３の両端に下方に向けて屈曲した形状の屈曲片１４が設けられている。図示の屈曲片１４は、両側の桟Ｐ１の側面に係止するように構成している。
【００２７】
一方、補助金具２０は、床板材Ｐの下面に配置する部材で、係止金具１０にネジ止めする吊りボルトＱを貫通せしめる貫通孔２１が形成されている（図１参照）。そして、この補助金具２０に一対の重合片２２を形成し、各屈曲片１４の外側に重合片２２を重合するように構成している（図２参照）。すなわち、係止金具１０に懸吊物を支持したときに屈曲片１４の拡開変形をこの重合片２２で抑止するように構成したものである。
【００２８】
図示の補助金具２０は帯板状に形成したものである（図１参照）。そして、帯板の長手中央部に貫通孔２１を開穿し、この帯板の長手両端部に前記重合片２２を屈曲形成している。この補助金具２０は、吊りボルトＱにネジ止めした係止ナットＱ１で桟Ｐ１の下面に押圧固定されるものである。
【００２９】
本発明を床板材Ｐの下から装着する方法を説明すると、まず、吊りボルトＱに係止金具１０と補助金具２０とを装着する（図１参照）。係止金具１０はネジ孔１１にネジ止めし、補助金具２０は係止ナットＱ１で桟Ｐ１の厚みよりも下になる位置に設置する。次に、吊りボルトＱに連結した係止金具１０を床板材Ｐの桟Ｐ１の間から上方に持ち上げ、桟Ｐ１の上面に係止金具１０を係止する（図３参照）。その後、係止ナットＱ１を調整して補助金具２０を桟Ｐ１の下面に押し当て、補助金具２０の重合片２２を本体１０の屈曲片１４の外側に重ねた状態で固定することで、吊り金具の装着作業は終了する（図２参照）。
【００３０】
本発明では、主に床板材Ｐの下面に吊りボルトＱを懸吊するのに好適であるが、本発明の係止金具１０と補助金具２０との位置を逆向きに使用することで、床板材Ｐの上面に吊りボルトＱを支持する使用も可能である（図４参照）。
【００３１】
尚、本発明吊り金具は、床板材Ｐに配管等の設備を懸吊支持する例として説明しているが、本発明にて懸吊する懸吊物はこの例に限られるものではない。また、床板材Ｐもスロットが連続形成された鋼製の床板材のほか、係止金具１０が挿通可能な開口部を有する他の鋼製床板材でも使用可能である。更に、本発明の各構成は、図示例に限定されるものではなく、本発明の要旨を変更しない範囲での設計変更は自由である。
【符号の説明】
【００３２】
Ｐ  床板材
Ｑ  吊りボルト
Ｑ１  係止ナット
１０  係止金具
１１  ネジ孔
１２  当接部
１３  係止片
１４  屈曲片
２０  補助金具
２１  貫通孔
２２  重合片
【図１】
2014114624.tif 000003
【図２】
2014114624.tif 000004
【図３】
2014114624.tif 000005
【図４】
2014114624.tif 000006